【手続補正書】
【提出日】平成17年7月1日(2005.7.1)
【手続補正１】
【補正対象書類名】特許請求の範囲
【補正対象項目名】全文
【補正方法】変更
【補正の内容】
【特許請求の範囲】
【請求項１】
ディジタル周波数ドメインデータの無損失フレーム内符号化のための方法であって、前記データは、各々が複数のブロックを有する複数のスライスを備えており、各ブロックはＤＣ成分と複数のＡＣ成分とを有しており、前記方法は、
第１のスライスの第１のＤＣ成分値を受信することと、
前記第１スライスの前記第１のＤＣ成分値を符号化することと、
前記第１のスライスの第２のＤＣ成分値を受信することと、
前記第１のスライスの前記第２のＤＣ成分値を残差値として符号化することとを備えており、
前記残差値は、前記第１のスライスの前記第１のＤＣ成分値と前記第１のスライスの前記第２のＤＣ成分値間の差と、前記第１のスライスの前記第１のＤＣ成分値と前記第１のスライスの前記第２のＤＣ成分値間の差の符号との関数である。
【請求項２】
前記ディジタル周波数ドメインデータは画像データである、請求項１に記載の方法。
【請求項３】
前記ディジタル周波数ドメインデータは音声データである、請求項１に記載の方法。
【請求項４】
前記残差値の符号化はゴロム・ライス符号化を利用する、請求項１に記載の方法。
【請求項５】
前記残差値の符号化は  
【数１】
2005507184.tif 000001
、ただしｘは符号化される前記ＤＣ成分値の振幅である、を使用してｙの値を決定する、請求項１に記載の方法。
【請求項６】
ディジタル映画システムにおいて、ディジタル画像を圧縮するための方法であって、前記画像は画素データを備えており、前記画素データはカラー成分に分離され、
画素データのカラー成分のグループを読み取る動作であって、各グループはＤＣ値と複数のＡＣ値とを備えている動作と、
前記画素のカラー成分のグループを画素データのサブブロックに分割するためにブロックサイズ割当を生成する動作と、
前記画素データのサブブロックを対応するＤＣおよびＡＣ周波数ドメイン表示に変換する動作と、
前記ＡＣ周波数ドメイン表示をＡＣデータストリームにスケーリングする動作であって、前記スケーリング動作は前記画像の品質と相関する品質測定基準に基づいている動作と、
前記ＡＣデータストリームを直列化する動作と、
指数分布を使用して前記ＡＣ直列化データをランレングス符号化する動作と、
前記第１のＤＣ周波数ドメイン表示を符号化する動作と、
前記第２のＤＣ周波数ドメイン表示を残差値として符号化する動作であって、前記残差値は前記第２のＤＣ周波数ドメイン表示と前記第１のＤＣ周波数ドメイン表示間の差である動作とを備えている方法。
【請求項７】
前記スケーリング動作はさらに、周波数重みマスクを前記画素データのサブブロックに提供する動作を備えており、前記周波数重みマスクは、人間の視覚系がより敏感な該画像の部分を強調し、人間の視覚系がより敏感でない該画像の部分はより低く強調する、請求項６に記載の方法。
【請求項８】
前記変換動作は離散コサイン変換を実行する、請求項６に記載の方法。
【請求項９】
前記変換動作は離散コサイン変換に続いて差分カッドツリー変換を実行する、請求項８に記載の方法。
【請求項１０】
前記第２のＤＣ周波数ドメイン表示の符号化は更に、前記残差値の符号の関数である、請求項６に記載の方法。
【請求項１１】
前記残差値の符号化は  
【数２】
2005507184.tif 000002
、ただしｘは符号化される前記ＤＣ成分値の振幅である、を使用してｙの値を決定する、請求項１０に記載の方法。
【請求項１２】
ディジタル周波数ドメインデータの無損失フレーム内符号化のための装置であって、前記データは、各々が複数のブロックを有する複数のスライスを備えており、各ブロックはＤＣ成分と複数のＡＣ成分とを有しており、前記装置は、
第１のスライスの第１のＤＣ成分値を受信する手段と、
前記第１のスライスの前記第１のＤＣ成分値を符号化する手段と、
前記第１のスライスの第２のＤＣ成分値を受信する手段と、
前記第１のスライスの前記第２のＤＣ成分値を残差値として符号化する手段であって、前記残差値は、前記第１のスライスの前記第１のＤＣ成分値と前記第１のスライスの前記第２のＤＣ成分値間の差と、前記第１のスライスの前記第１のＤＣ成分値と前記第１のスライスの前記第２のＤＣ成分値間の差の符号との関数である手段とを備える。
【請求項１３】
前記ディジタル周波数ドメインデータは画像データである、請求項１２に記載の装置。
【請求項１４】
前記ディジタル周波数ドメインデータは音声データである、請求項１２に記載の装置。
【請求項１５】
前記残差値の符号化はゴロム・ライス符号化を利用する、請求項１２に記載の装置。
【請求項１６】
前記残差値の符号化は  
【数３】
2005507184.tif 000003
、ただしｘは符号化される前記ＤＣ成分値の振幅である、を使用してｙの値を決定する、請求項１２に記載の装置。
【請求項１７】
ディジタル映画システムにおいて、ディジタル画像を圧縮するための装置であって、前記画像は画素データを備えており、前記画素データはカラー成分に分離され、
画素データのカラー成分のグループを読み取る手段であって、各グループはＤＣ値と複数のＡＣ値とを備えている手段と、
画素のカラー成分のグループを画素データのサブブロックに分割するためにブロックサイズ割当を生成する手段と、
前記画素データのサブブロックを対応するＤＣおよびＡＣ周波数ドメイン表示に変換する手段と、
前記ＡＣ周波数ドメイン表示をＡＣデータストリームにスケーリングする手段であって、前記スケーリング動作は前記画像の品質と相関する品質測定基準に基づいている手段と、
前記ＡＣデータストリームを直列化する手段と、
指数分布を使用して前記ＡＣ直列化データをランレングス符号化する手段と、
前記第１のＤＣ周波数ドメイン表示を符号化する手段と、
前記第２のＤＣ周波数ドメイン表示を残差値として符号化する手段であって、前記残差値は前記第２のＤＣ周波数ドメイン表示と前記第１のＤＣ周波数ドメイン表示間の差である手段とを備えている装置。
【請求項１８】
前記スケーリング動作はさらに、周波数重みマスクを前記画素データのサブブロックに提供する動作を備えており、前記周波数重みマスクは、人間の視覚系がより敏感な該画像の部分を強調し、人間の視覚系がより敏感でない該画像の部分はより低く強調する、請求項１７に記載の装置。
【請求項１９】
前記変換動作は離散コサイン変換を実行する、請求項１７に記載の装置。
【請求項２０】
前記変換動作は離散コサイン変換に続いて差分カッドツリー変換を実行する、請求項１９に記載の装置。
【請求項２１】
前記第２のＤＣ周波数ドメイン表示を符号化する手段は更に、前記残差値の符号の関数である、請求項１７に記載の装置。
【請求項２２】
前記残差値を符号化する手段は、  
【数４】
2005507184.tif 000004
、ただしｘは符号化される前記ＤＣ成分値の振幅である、を使用してｙの値を決定する、請求項２１に記載の装置。
【請求項２３】
ディジタル周波数ドメインデータの無損失フレーム内符号化のための装置であって、前記データは複数のブロックを備え、各ブロックはＤＣ成分と複数のＡＣ成分とを有しており、前記装置は、
連続スライスに対する連続ＤＣ成分値を受信するように構成された受信機と、
各スライスの前記第１のＤＣ成分値を符号化し、かつ連続ＤＣ成分値を残差値として符号化するように構成された符号器であって、各残差値が、前記第１のスライスの現在のＤＣ成分値と前記第１のスライスの前記第２のＤＣ成分値間の差と、前記第１のスライスの前記第１のＤＣ成分値と前記第１のスライスの前記第２のＤＣ成分値間の差の符号との関数である符号器とを備える。
【請求項２４】
前記ディジタル周波数ドメインデータは画像データである、請求項２３に記載の装置。
【請求項２５】
前記ディジタル周波数ドメインデータは音声データである、請求項２３に記載の装置。
【請求項２６】
前記残差値の符号化はゴロム・ライス符号化を利用する、請求項２３に記載の装置。
【請求項２７】
前記残差値の符号化は  
【数５】
2005507184.tif 000005
、ただしｘは符号化される前記ＤＣ成分値の振幅である、を使用してｙの値を決定する、請求項２３に記載の装置。